(57)【要約】【課題】簡単な構造で、帯体の長さ調整を簡単且つ確実に行うことのできる帯体の長さ調節具を提供する。【解決手段】帯体１を二枚重ねで挿通可能な本体２０を二枚のプレート状部２０ａ，２０ｂとそれらプレート状部２０ａ，２０ｂを互いに接続するプレート状橋絡部２０ｃとにより横断面略コの字状に形成し、本体２０に挿通された帯体１の帯面が対面する橋絡部２０ｃの縁部より側方へ張り出すように本体２０に軸受け筒２２を設け、本体２０内に挿通された帯体１が折り返されてループ状にされた状態で掛け止められる支持軸２４を軸受け筒２２に対して揺動自在に取付け、内方へ折曲げ形成された係止部２６ａを備えた遊動プレート２６をプレート状部２０ａ，２０ｂの自由端側に帯体１の長さ方向に沿って若干移動可能に係止部２６ａを介して装着し、係止手段２８を軸受け筒２２に揺動自在に支持するよう構成した。【選択図】  図３
2005000345.tif 000002
【特許請求の範囲】
【請求項１】
帯体を二枚重ねで挿通可能で、互いに離間した第一及び第二のプレート状部とそれら第一及び第二のプレート状部を互いに接続するプレート状橋絡部とにより横断面略コの字状に形成された本体と、前記本体に挿通された前記帯体の帯面が対面する前記プレート状橋絡部の縁部より側方へ張り出すように前記本体に設けられた軸受け筒と、前記軸受け筒に揺動自在に係止され、前記本体内に挿通された前記帯体が折り返されてループ状にされた状態で引掛けられる支持軸と、内方へ折曲形成された係止部を備えて前記第一及び第二のプレート状部の自由端側に帯体の長さ方向に沿って若干遊動自在に前記係止部を介して装着された遊動プレートと、前記軸受け筒に揺動自在に支持された係止手段とを有していることを特徴とする帯体の長さ調節具。
【請求項２】
前記係止手段がフック状に形成されていることを特徴とする、請求項１に記載の帯体の長さ調節具。
【請求項３】
請求項１又は２に記載の帯体の長さ調節具を備えた帯体。
【発明の詳細な説明】
【０００１】
【発明の属する技術分野】
本発明は、例えば、自動車のルーフキャリアに対するスキー板，スノーボード，サーフボード等の締縛用に用いられるベルト，ロープ及びテープ等の帯体或いはショルダーバッグ等の吊下げ用ベルト等として用いられる帯体の長さ調節具に関するものである。
【０００２】
【従来の技術】
従来、帯体の長さ調節具としては、第一の基板と、その基板に対して回動自在に連結された第二の基板と、第一の基板の内側に配置されてスプリングを介して第一の基板の内面に向けて付勢された係合板と、係合板に設けられて第二の基板と係合乃至離脱可能となっている係合爪とを有するベルトの長さ調節具が提案されている（特許文献１）。
【０００３】
このベルトの長さ調節具においては、係合板をスプリングの付勢力に抗して内側に移動させて係合爪を第二の基板より離脱させることにより、第二の基板を回動自在にさせた状態で、ベルトを調節具に相対して移動させることにより長さ調節を行うよう構成されている。
【０００４】
然し、この従来の調節具は、通常の使用時に第二の基板を第一の基板に対して係合爪を介して回動不能にするべく、スプリングの付勢力で係合爪を第二の基板に対して係合させるという構成が採られているため、構造が複雑であるばかりでなく、極めて高価のものとなっている。
【０００５】
【特許文献１】
実公平１−１６４１４
【０００６】
【発明が解決しようとする課題】
【０００７】
本発明は、簡単な構成で安価に製造することができ、しかも帯体の長さ調整を簡単且つ確実に行うことができる帯体の長さ調節具を提供することを目的とする。
【課題を解決するための手段】
請求項１に記載の帯体の長さ調節具は、帯体を二枚重ねで挿通可能で、互いに離間した第一及び第二のプレート状部とそれら第一及び第二のプレート状部を互いに接続するプレート状橋絡部とにより横断面略コの字状に形成された本体と、前記本体に挿通された前記帯体の帯面が対面する前記プレート状橋絡部の縁部より側方へ張り出すように前記本体に設けられた軸受け筒と、前記軸受け筒に揺動自在に係止され、前記本体内に挿通された前記帯体が折り返されてループ状にされた状態で引掛けられる支持軸と、内方へ折曲形成された係止部を備えて前記第一及び第二のプレート状部の自由端側に帯体の長さ方向に沿って若干遊動自在に前記係止部を介して装着された遊動プレートと、前記軸受け筒に揺動自在に支持された係止手段とを有している。
【０００８】
請求項２に記載の帯体の長さ調節具においては、係止手段がフック状に形成されている。
【０００９】
請求項３に記載の帯体は、請求項１又は２に記載の帯体の長さ調節具を有している。
【００１０】
【発明の実施の形態】
以下、図１〜図５を参照して、本発明に係る帯体の長さ調節具の実施形態について説明する。この実施形態に係る帯体の長さ調節具が適用される帯体１としては、平織り状の布ベルトや平帯状のゴムベルト或いは平板状の樹脂製テープ等を採用することができる。
【００１１】
帯体の長さ調節具２は、帯体１を二枚重ねで挿通可能で、図２で明瞭に示したように互いに離間した二枚のプレート状部２０ａ，２０ｂとそれらプレート状部２０ａ，２０ｂを互いに接続するプレート状橋絡部２０ｃとにより横断面略コの字状に形成された本体２０と、本体２０に挿通された帯体１の帯面が対面するプレート状橋絡部２０ｃの縁部より側方へ張り出すように本体２０に設けられた略円筒状の軸受け筒２２と、軸受け筒２２に揺動自在に係止され、本体２０内に挿通された帯体１が折り返されてループ状にされた状態で引掛けられる支持軸２４と、互いに離間したプレート状部２０ａ，２０ｂの自由端側に帯体１の長さ方向へ若干遊動可能に装着された遊動プレート２６と、軸受け筒２２に揺動自在に支持された係止手段２８とを有している。
【００１２】
この調節具２の帯体１に対する取付けは、図３に示したように、帯体１の一端部を、調節具本体２０の第一の開口部２１ａより調節具本体２０内に挿入し、調節具本体２０の第二の開口部２１ｂより引き出してループ状に折り返してから支持軸２４に引掛けて、調節具本体２０の第二の開口部２１ｂより再び調節具本体２０内に挿入して調節具本体２０の第一の開口部２１ａより引き出すことにより行われる。また、帯体１は、その帯面がプレート状橋絡部２０ｃの板面及遊動プレート２６の板面と対面する状態で、調節具本体２０内に挿通される。
【００１３】
調節具本体２０のプレート状橋絡部２０ｃは、図４に示したように、帯体１の幅より幅広に形成されている。また、調節具本体２０の互いに離間したプレート状部２０ａ，２０ｂは、支持軸２４に対してループ状に巻回されて二枚重ねになった帯体１の厚さより長めに延びている。更に、プレート状部２０ａ，２０ｂの自由端部は、互いに対向するよう調節具本体２０の内側方向へ略直角に折り曲げられた折曲部２０ａ’，２０ｂ’（図２参照）を有している。
【００１４】
略円筒状の軸受け筒２２は、調節具本体２０のプレート状橋絡部２０ｃの幅方向に沿って一体に設けられている。より詳述すると、軸受け筒２２は、図３で明瞭に示したように、第二の開口部２１ｂ寄りのプレート状橋絡部２０ｃの縁部より側方へ断面略円筒状に張り出し形成されている。
【００１５】
支持軸２４は、金属線材を用いて略Ｃの字状に形成され、図４で明瞭に示したように、その両端部を略円筒状軸受け筒２２の両端部内に嵌め込むことにより軸受け筒２２に対して揺動自在に取付けられている。
【００１６】
遊動プレート２６は、上述した如く、調節具本体２０のプレート状部２０ａ，２０ｂの自由端側に取り付けられていて、図５に示したように、それの帯体１の長手方向に沿う長さが、調節具本体２０の帯体１の長手方向に沿う長さより若干長めに形成され、また、それの帯体１の幅方向に沿う寸法は、調節具本体２０の帯体１の幅方向に沿う寸法より若干短めに形成されている。更に、調節具本体２０の第一及び第二の開口部２１ａ，２１ｂ寄りの遊動プレート２６の両端縁部には、図３で明瞭に示したように、その両端縁部より内側に略Ｕ字状に折り曲げ形成されて調整具本体２０の内側に突出した係止部２６ａ，２６ｂが設けられている。遊動プレート２６は、略Ｕ字状係止部２６ａ，２６ｂが調節具本体２０の折曲部２０ａ’，２０ｂ’と係合した状態で、帯体１の長手方向に沿って遊動自在に調節具本体２０に対して取付けられている。
【００１７】
係止手段２８は、金属線材を側面側から見て略逆Ｊ字に折り曲げたフック状に形成された本体２８ａと、その係止手段本体２８ａの根元から左右に折れ曲がった支軸部２８ｂ，２８ｃ（図４参照）とを有している。係止手段２８は、軸受け筒２２の略中央位置で円周方向へ沿って開口した開口部２２ａ（図２及び図３参照）より支軸部２８ｂ，２８ｃを軸受け筒２２の筒内に係合させることにより、係止手段２８は軸受け筒２２に対して揺動自在に支持されている。
【００１８】
このように構成された帯体の長さ調節具を備えた帯体においては、支軸部２２にループ状に引掛けられた帯体１は上述した如く調節具本体２０内で二枚重ねにされ、図３に示したように、その二枚重ねにされた帯部分１ａ，１ｂは、調節具本体２０の第一の開口部２１ａより引き出されている。調節具本体２０内においては、第一の帯部分１ａは調節具本体２０のプレート状橋絡部２０ｃと対面し、また、第二の帯部分１ｂは調節具本体２０に取り付けられた遊動プレート２６と対面している。
【００１９】
調節具本体２０内で調節具本体２０のプレート状橋絡部２０ｃと対面して調節具本体２０の第一の開口部２１ａより引き出されている帯部分１ａの自由端部は，図６に示したようにループ状に形成されている。尚、図６中に参照符号４を付して示したものは、帯部分１ａの自由端部１ａ’をループ状に結束するための結束金具である。また、図６中に参照符号５を付して示したものは、ループ状に形成された補助帯であり、この補助帯５は、適宜箇所、例えば、自動車のルーフキャリアの適宜部位等に引掛けられ或いはショルダーバッグの適宜部位等に取付けられるものである。そのように適宜部位に引掛けられ或いは取付けられる補助帯５は、係止金具６を有し、その係止金具６の引掛け口６ａ内にフック状係止手段２８の先端部を引掛け係止させることができる。
【００２０】
この帯体１を用いてスキー板，スノーボード，サーフボード等（以下、「スキー板等」という。）を自動車のルーフキャリアに対して締縛する場合について、図６を参照しながら説明する。
【００２１】
先ず、スキー板等をルーフキャリア上に載置した状態で、帯部分１ａのループ状自由端部１ａ’をルーフキャリアの第一の部位に引掛け、帯体１をスキー板等の上に掛け渡すと共に、ループ状補助帯５をルーフキャリアの第一の部位と反対側に位置するルーフキャリアの第二の部位に係止させて、フック状係止手段２８の先端部を係止金具の６の引掛け口６ａ内に引掛け係止させる。この状態で、調節具本体２０内で遊動プレート２６と対面して調節具本体２０より引き出されている帯部分１ｂを引張ると、図３に示したように、その帯部分１ｂが遊動プレート２６の内側に突出している係止部２６ａによって側方へ迂回させられながら調節具本体２０より繰り出されるようになり、帯部分１ｂの引張力が支持軸２４に巻回された帯体１のループ状部１ｃに集中されることがないので、調節具本体２０からの帯部分１ｂの繰り出しを簡単に行えるようになる。
【００２２】
調整具本体２０からの帯部分１ｂの繰り出しに伴って、ループ状自由端部１ａ’を介してルーフキャリアの第一の部位に引掛けられた帯部分１ａが縮められるので、スキー板等をルーフキャリアに対して確りと締付けることができる。スキー板等をルーフキャリアに対して締め付けた後に、長く伸ばされた帯部分１ｂの適宜箇所をルーフキャリアの適宜部位に結び付けることにより、スキー板等はルーフキャリアに対して確りと締付け固定される。
【００２３】
尚、調節具本体２０内でプレート状橋絡部２０ｃと対面して調節具本体２０より引き出されている帯部分１ａが引張られても、その引張力が支持軸２４に巻回された帯体１のループ状部１ｃに集中して、軸受け筒２２に支持された支持軸２４が軸受け筒２２を中心として遊動プレート２６方向へ回動するよう引張られることから、支持軸２４に巻回された帯体１のループ状部１ｃが支持軸２４によって遊動プレート２６の縁部に挟み付けられるので、帯部分１ｂが調節具本体２０より繰り出されることはない。調節具本体２０からの帯部分１ａの繰り出し長さを長くする必要が生じた場合には、帯体１のループ状部１ｃを手で摘んで、帯部分１ｂの繰り出し長さを短くするよう帯体１を調節具本体２０の第二の開口部２１ｂより引き出すようにすればよい。
【００２４】
尚、遊動プレート２６を調節具本体２０に固定することなく、遊動自在なものとして取付けたのは、遊動プレート２６を遊動自在なものとすることにより、帯部分１ｂの引張繰り出し時に帯体１と遊動プレート２６との間に生ずる摩擦抵抗を少なくして帯部分１ｂの繰り出しをスムーズに行えるようにするためである。
【００２５】
次に、本発明に係る帯体をショルダーバッグの吊下げ用ベルトとして用いる場合について、再び図６を参照しながら説明する。
【００２６】
本発明に係る帯体１をショルダーバッグに適用する場合には、ショルダーバッグの両側部の一方に帯部分１ａのループ状自由端部１ａ’を取付け、ショルダーバッグの両側部の他方にループ状補助帯５を取付ける。更に、フック状係止手段２８の先端部を係止金具の６の引掛け口６ａ内に引掛け係止させる。
【００２７】
スキー板等を自動車のルーフキャリアに対して締縛する場合について説明したのと同様に、ショルダーバッグにおいては、調節具本体２０内で遊動プレート２６と対面して調節具本体２０より引き出されている帯部分１ｂの自由端部を引張って、調整具本体２０より繰り出させることにより、ユーザの肩に下げられる帯の長さを短く調整することができる。また、ユーザの肩に下げられる帯の長さを長く調整するには、上述したのと同様に、帯体１のループ状部１ｃを手で摘んで、帯部分１ｂの繰り出し長さを短くするよう帯体１を調節具本体２０の第二の開口部２１ｂより引き出すようにすればよい。
【００２８】
本発明について特定の実施形態を用いて説明したが、本発明はそれに限定されるものではなく、本発明の趣旨を逸脱しない範囲において適宜変更を加えたものを含むことは明らかである。
【００２９】
【発明の効果】
以上の如く、請求項１に記載の帯体の長さ調節具に依れば、帯体を二枚重ねで挿通可能な本体を互いに離間した第一及び第二のプレート状部とそれら第一及び第二のプレート状部を互いに接続するプレート状橋絡部とにより横断面略コの字状に形成し、本体に挿通された帯体の帯面が対面するプレート状橋絡部の縁部より側方へ張り出すように本体に軸受け筒を設け、本体内に挿通された帯体が折り返されてループ状にされた状態で掛け止められる支持軸を軸受け筒に対して揺動自在に取付け、内方に折曲形成された係止部を備えた遊動プレートを第一及び第二のプレート状部の自由端側に帯体の長さ方向に沿って若干移動可能に係止部を介して装着し、係止手段を軸受け筒に揺動自在支持するという極めて簡単な構造のものとして構成したので、極めて安価に製造することができるばかりでなく、帯体の長さ調整を簡単且つ確実に行うことができる。
【００３０】
請求項２に記載の帯体の長さ調節具に依れば、係止手段をフック状に形成したので、適宜箇所に簡単に引掛けることできる。
【００３１】
請求項３に記載の帯体に依れば、請求項１又は２に記載の長さ調節具を備えているので、長さ調節可能な安価な帯体が得られる。
【図面の簡単な説明】
【図１】本発明に係る帯体の長さ調節具の斜視図である。
【図２】図１に示した調節具の本体の平面図である。
【図３】図１に示した帯体の長さ調節具の縦断面図である。
【図４】図１に示した帯体の長さ調節具の正面図である。
【図５】図１に示した帯体の長さ調節具の背面図である。
【図６】本発明に係る帯体の長さ調節具を備えた帯体を、自動車のルーフキャリアに対するスキー板等の締縛に用いる場合及びショルダーバッグの吊下げベルトとして用いる場合を説明するための斜視図である。
【符号の説明】
１              帯体
１ａ            帯体の第一の帯部分
１ｂ            帯体の第二の帯部分
２              帯体の長さ調節具
２０            調節具の本体
２２            軸受け筒
２４            支持軸
２６            遊動プレート
２６ａ          遊動プレートより内方へ折曲形成された係止部
２８            係止手段
【図１】
2005000345.tif 000003
【図２】
2005000345.tif 000004
【図３】
2005000345.tif 000005
【図４】
2005000345.tif 000006
【図５】
2005000345.tif 000007
【図６】
2005000345.tif 000008